(57)【要約】【課題】ユーザがメールアドレスを変更したときに、自動的に知人対してメールアドレスの変更を通知する電子メールアドレス自動変更機能付き電子メールシステムを得る。【解決手段】送信元の携帯電話１と、メールサーバ２と受信先端末（携帯電話５、受信先のパソコン６）を携帯電話網３及びインターネット４に接続し、送信元の携帯電話１から送信元アドレスの変更要求がなされたとき、予め送信元の携帯電話１を用いて登録している受信先リストのアドレスに対して送信元で変更した送信元アドレスを希望の受信側の携帯電話５に自動通知する。【選択図】　　　　図１
2004120371.tif 000002
【特許請求の範囲】
【請求項１】
コンピュータネットワークを介して送信元となる端末のメールアドレスの変更を受信先の端末に自動通知するメールサーバにおいて、
前記送信元のメールアドレスを保存する手段と、
前記受信先のメールアドレスを保存する手段と、
前記送信元のメールアドレスの変更を前記送信元の端末によって実行させ、該変更後の送信元アドレスに前記受信先のメールアドレスをリンク付けさせる手段と、
前記送信元のメールアドレスの変更に伴って前記リンク付けされている前記受信先のメールアドレスを前記送信元の端末に提供する手段と、
前記提供した受信先のメールアドレスが選択されたとき、その選択された結果を送信させ、該選択された受信先のメールアドレス宛のメール本文を作成し、該メール本部に前記変更された送信元アドレスを組み込んで送信させる手段と
を有することを特徴とする電子メールアドレス変更通知機能付きメールサーバ。
【請求項２】
前記メール本文を作成する毎に、その受信先アドレスを順次抽出して、これらの受信先アドレスと誰宛に送信元の変更を知らせたかを示すメッセージとを組み込んだメール本文を前記送信元の端末に送信する手段と
を有することを特徴とする請求項１記載の電子メールアドレス変更通知機能付きメールサーバ。
【発明の詳細な説明】
【０００１】
【発明の属する技術分野】
本発明は、送信元となる端末がメールアドレスを変更したとき、自動的にサーバ側が希望の受信先にメールアドレスの変更を通知する電子メールアドレス変更通知機能付きメールサーバに関する。
【０００２】
【従来の技術】
近年は携帯電話などでも電子メールの送受信が可能となり、それに伴い迷惑メールなどの回避のため、頻繁に電子メールアドレスの変更を余儀なくされている。特に、同一ドメインでのアカウント変更を余儀なくされるユーザが増えている。しかしながら、その変更に伴うアドレス変更の通知は、ユーザに任されており、その手間や料金などがユーザの負担となっているだけでなく、その作業そのものがメールアドレス変更という迷惑メール回避策の障害にもなっている場合もある。
【０００３】
これは、従来のメールシステムでは、一度決めたメールアカウントを変更する必要性が小さかったこと、またクライアント毎の宛先リストはクライアント側のソフトに完全に任されており、メールサーバにアドレス変更通知先リストの情報が無いことなどによる。
【０００４】
【特許文献１】
特願平１０−２７７６９９号公報
【０００５】
【発明が解決しようとする課題】
しかしながら、メールアドレスを変更したとしても、時間が経過すると、再び迷惑メールが急に増えてくる。また、メールアドレスを変更した場合は、ユーザはその都度、新たなメールアドレスを手入力で入力してメールアドレスを変更したことを知人に知らせている。
【０００６】
従って、メールアドレスの変更は、ユーザにとっては時間と手間がかかるという課題があった。
【０００７】
特に携帯電話でのメールアドレスの変更は、キーの種類が少ないこと等から非常に手間がかかる。
【０００８】
本発明は以上の課題を解決するためになされたもので、ユーザがメールアドレスを変更したときに、自動的に知人対してメールアドレスの変更を通知する電子メールアドレス自動変更機能付き電子メールシステムを得ることを目的とする。
【０００９】
【課題を解決するための手段】
本発明は、コンピュータネットワークを介して送信元となる端末のメールアドレスの変更を受信先の端末に自動通知するメールサーバにおいて、前記送信元のメールアドレスを保存する手段と、前記受信先のメールアドレスを保存する手段と、前記送信元のメールアドレスの変更を前記送信元の端末によって実行させ、該変更後の送信元アドレスに前記受信先のメールアドレスをリンク付けさせる手段と、前記送信元のメールアドレスの変更に伴って前記リンク付けされている前記受信先のメールアドレスを前記送信元の端末に提供する手段と、前記提供した受信先のメールアドレスが選択されたとき、その選択された結果を送信させ、該選択された受信先のメールアドレス宛のメール本文を作成し、該メール本文に前記変更された送信元アドレスを組み込んで送信させる手段とを備えたことを要旨とする。
【００１０】
【発明の実施の形態】
本実施の形態は、クライアントからサーバがメールアドレスの変更要求を受けると、サーバが予めクライアント毎に登録された通知先メーリングリストを参照し、この通知先メーリングリストの各受信者に対して、メールアドレスを変更した旨を伝える本文を作成して自動的に各受信者に通知する。
【００１１】
図１は本実施の形態の電子メールアドレス変更通知機能付き電子メールシステムの概略構成図である。本実施の形態では送信元は携帯電話として説明する。
【００１２】
本実施の形態は、図１に示すように、送信元の携帯電話１と、メールサーバ２と受信先端末（携帯電話５、受信先のパソコン６）を携帯電話網３及びインターネット４に接続し、送信元の携帯電話１から送信元アドレスの変更要求がなされたとき、予め送信元の携帯電話１を用いて登録している受信先リストのアドレスに対して送信元で変更した送信元アドレスを自動通知する。
【００１３】
前述のメールサーバ２は、図１に示すように、送信元アドレス変更登録部１０と、送信元新アドレスのファイル１１と、アドレス変更通知用受信先リスト作成部１２と、アドレス変更通知用リストのファイル１３と、アドレス自動通知確認部１４と、変更通知メール作成部１５と、定型メールテキストのファイル１６と、メール送信部１７等を備えている。
【００１４】
送信元アドレス変更登録部１０は、送信元の携帯電話１から送信元のアドレス変更通知を受信したかどうかを判定し、変更通知を受けたときは、変更通知と共に送信された送信元の新メールアドレスを送信元新アドレスのファイル１１に登録する一方、自動通知確認部１４を起動させる。
【００１５】
アドレス変更通知用受信先リスト作成部１２は、アドレス変更通知を送信元アドレス登録部１０が受信したとき、ファイル１３に予め登録されている受信先アドレスリスト（図示せず）を携帯端末１に提供し、このリストで希望の受信先アドレスを選択させる。
【００１６】
自動通知確認部１４は、ファイル１１を監視し、変更された送信元アドレス（送信元新アドレスともいう）があるかどうかを判定し、変更された送信元アドレスが存在するときは、その送信元新アドレスを読み込んで変更通知メール作成部１５を起動させて、送信元新アドレスを組み込んだメールを作成させる。
【００１７】
また、自動通知確認部１４は、送信元新アドレスを読み込む毎に、蓄積し、この蓄積した送信元新アドレスを組み込んだメールを作成させて誰宛にアドレスの変更メールを送ったかを確認させる。
【００１８】
変更通知メール作成部１５は、自動通知確認部１４が送信元アドレスが変更されている（送信元新アドレス）と判定したときは、ファイル１６から定型のメールを読み込み、その送信元新アドレスを本文に組み込んでメール送信部１８を用いて送信させる。
【００１９】
上記のように構成された電子メール自動変更機能付き電子メールシステムのメールサーバの動作を図２のフローチャートを用いて以下に説明する。
【００２０】
送信元である携帯電話１（ブラウザ機能、インターネット接続機能内蔵）からメールアドレスの変更要求を受けると、送信元アドレス変更登録部１０は、ＩＤとパスワードとを入力させて認証を行う。そして、認証結果が「ＯＫ」のとき、その変更要求を受け付け、新たな送信元アドレス（メールアドレス、名前、電話番号）をファイル１１に登録する。つまり、新たなメールアドレスに変更する（Ｓ１）。このとき、送信元アドレスと受信先アドレスとは予めリンク付（ＩＤコード、パスワードをキーとしてリンク付け）けされて登録されており、送信元アドレスが変更されたときは、送信元のＩＤコードとパスワードとにリンク付けされている受信先アドレスを変更された送信元アドレスにリンク付けする。
【００２１】
次に、アドレス通知用受信先リスト作成部１２は、ファイル１３からアドレス変更通知用リスト（予め送信元のユーザに登録させたリスト）を読み出して、これを携帯電話１に送信して、アドレス変更の通知先を選択させる（Ｓ２）。
【００２２】
前述のファイル１３は、携帯電話１のユーザ名（送信元）毎に、受信先の氏名とメールアドレスとが対応させられて保存されており、例えばアドレス変更通知用リストは図３に示すようにして提供する。つまり、チェックマーク書込部に予め登録されている宛先リスト（図示せず）の受信先アドレスを対応させて提供し、チェックマーク書込部にチェックマークがある場合は、チェックマークを付けて提供する。
【００２３】
そして、自動通知確認部１４は、ファイル１３の新たなアドレス通知用受信先リストを参照して、受信先アドレスが選択されているかどうかを判定する（Ｓ３）。本実施の形態では３名の受信先が選択されている。
【００２４】
次に、自動通知確認部１４は、ファイル１１を参照して送信元新アドレスが登録されているかどうかを判定し、送信元新アドレスが登録されている場合は、アドレス変更通知用リストからチェックマークが入っている受信先アドレスのみを順次抽出して（Ｓ４）、変更通知メール作成部１５に送出する。
【００２５】
変更通知メール作成部１５は、選択された受信アドレスが渡される毎に、定型のメール本文を読み込み、このメール本文に抽出された送信元新アドレスを組み込んだ第１のメール（図４を参照）を作成する（Ｓ５）。このメールをメール送信部１７を用いて受信先に送信する（Ｓ６）。
【００２６】
また、自動通知確認部１４は、ファイル１３のアドレス変更通知用リストの内でチェックマークが付いている受信先アドレスを蓄積し、この蓄積した受信先アドレスを定型の第２のメール本文（図５参照）に組み込んだメールを変更通知メールを作成させて送信させる。
【００２７】
つまり、誰宛にアドレスを変更したことを知らせるメッセージを送ったかを送信元に確認させている。
【００２８】
さらに、アドレスリストへの登録が面倒に成らないように、携帯電話１のアドレス帳を一括コピーする機能或いは送信元である携帯電話１から一定回数以上、同じ宛先にメールを送った場合は、自動的にアドレス通知用受信先リストに追加する機能を備えてもよい。
【００２９】
【発明の効果】
以上のように本発明によれば、メールアドレス（アカウント）の変更に伴う変更通知を手入力で行わなくとも、サーバ側で自動的に希望の受信先に通知するので、送信元のユーザに取ってはメールアドレスの変更に手間がかからないという効果がある。
【００３０】
また、迷惑メールを受けている場合に、自分（携帯電話）のメールアドレスを変えるだけで、自動的に希望の受信先に通知されるので、迷惑メールが送信されてくることを手間をかけないで抑制できる。
【図面の簡単な説明】
【図１】メールアドレス変更通知機能付き電子メールシステムの概略構成図である。
【図２】メールアドレス変更通知機能付き電子メールシステムのサーバの動作を説明するフローチャートである。
【図３】受信先アドレスの指定画面を説明する説明図である。
【図４】第１のメール本文を説明する説明図である。
【図５】第２のメール本分を説明する説明図である。
【符号の説明】
１　送信元の携帯電話
２　メールサーバ
１０　送信元アドレス変更登録部
１１　送信元新アドレスのファイル
１２　アドレス変更通知用受信先リスト作成部
１４　アドレス自動通知確認部
１５　変更通知メール作成部
【図１】
2004120371.tif 000003
【図２】
2004120371.tif 000004
【図３】
2004120371.tif 000005
【図４】
2004120371.tif 000006
【図５】
2004120371.tif 000007